(57)【要約】【課題】手術において実施した検査で取得された情報の探索を容易化する。【解決手段】検査装置１０は、手術患者に対して検査を実施して検査情報を取得する。検査情報としては、画像や生体情報がある。取得された検査情報は、検査情報保管装置２０に格納される。更に、検査装置１０は、検査情報と、それが取得された手術段階とを関連付ける関連情報（画像管理テーブルＴ２）を生成する。画像管理テーブルＴ２は、検査ＩＤや画像ＩＤと手術段階ＩＤとを関連づける。手術記録作成装置３０のオペレータは、操作部３３を操作して手術段階を指定する。手術記録作成装置３０は、指定された手術段階に対応する画像を画像管理テーブルＴ２に基づいて検索し、表示部３２に表示させる。このように、手術段階を指定するだけで、その手術段階において撮影された画像を取得できる。【選択図】図１
2008259661.tif 000002
【特許請求の範囲】
【請求項１】
手術患者に対して検査を実施して、少なくとも検査結果を含む検査情報を取得する検査手段と、
前記取得された検査情報を記憶する記憶手段と、
前記検査情報が取得された手術段階を表す段階情報を生成し、前記段階情報と前記検査情報とを関連付ける関連情報を生成する生成手段と、
操作手段と、
前記操作手段により手術段階が指定されたときに、前記関連情報に基づいて、前記指定された手術段階に対応する検査情報を前記記憶手段から検索する検索手段と、
を備えることを特徴とする検査情報処理システム。
【請求項２】
前記検査手段は、一の手術段階において二以上の検査情報を取得し、
前記生成手段は、前記関連情報として、前記一の手術段階を表す段階情報を前記二以上の検査情報のそれぞれに関連付ける情報を生成し、
前記検索手段は、操作手段により前記一の手術段階が指定されたときに、該関連情報に基づいて、前記二以上の検査情報を検索する、
ことを特徴とする請求項１に記載の検査情報処理システム。
【請求項３】
表示手段と、
前記検索手段により検索された前記二以上の検査情報を前記表示手段に表示させる制御手段と、
を更に備えることを特徴とする請求項２に記載の検査情報処理システム。
【請求項４】
前記検査手段は、一の手術段階において二以上の検査情報を取得し、
前記生成手段は、前記関連情報として、前記一の手術段階を表す段階情報を前記二以上の検査情報のそれぞれに関連付ける情報を生成し、
前記検索手段は、前記二以上の検査情報のうちのいずれかが前記操作手段により指定されたときに、該関連情報に基づいて、該指定された検査情報を検索する、
ことを特徴とする請求項１に記載の検査情報処理システム。
【請求項５】
前記検査手段は、手術患者の二以上の画像を前記二以上の検査情報として取得し、
該取得された二以上の画像のそれぞれの小画像を生成する小画像生成手段と、表示手段と、制御手段とを更に備え、
前記生成手段は、前記関連情報として、前記二以上の画像のそれぞれと当該画像の小画像とを関連付ける情報を生成し、
前記制御手段は、前記二以上の小画像を前記表示手段に表示させ、
前記検索手段は、前記表示された前記二以上の小画像のうちのいずれかが前記操作手段により指定されたときに、該関連情報に基づいて、該指定された小画像に対応する画像を検索する、
ことを特徴とする請求項４に記載の検査情報処理システム。
【請求項６】
前記検査手段は、手術患者の画像を前記検査情報として取得し、
該取得された画像の小画像を生成する小画像生成手段と、
表示手段と、
該生成された小画像を前記表示手段に表示させる制御手段と、
を備えることを特徴とする請求項１に記載の検査情報処理システム。
【請求項７】
前記生成手段は、前記関連情報として、前記画像と前記小画像と前記段階情報とを関連付ける情報を生成し、
前記制御手段は、該関連情報に基づいて、前記小画像を各手術段階毎に分類して前記表示手段に表示させる、
ことを特徴とする請求項６に記載の検査情報処理システム。
【請求項８】
前記生成手段は、前記関連情報として、前記画像と前記小画像と前記段階情報とを関連付ける情報を生成し、
前記検索手段は、前記表示された小画像が前記操作手段により指定されたときに、該関連情報に基づいて、該指定された小画像に対応する画像を検索し、
前記制御手段は、該検索された画像を前記表示手段に表示させる、
ことを特徴とする請求項６又は請求項７に記載の検査情報処理システム。
【請求項９】
表示手段と制御手段とを更に備え、
前記検査手段は、手術段階の時刻又は検査情報が取得された時刻を表す時刻情報を取得し、
前記生成手段は、前記関連情報として、前記検査情報と前記段階情報と前記時刻情報とを関連付ける情報を生成し、
前記制御手段は、該関連情報に基づいて、前記時刻情報が表す時刻と手術段階とを並べて前記表示手段に表示させる、
ことを特徴とする請求項１に記載の検査情報処理システム。
【請求項１０】
前記検索手段は、前記表示された時刻又は手術段階が前記操作手段により指定されたときに、前記関連情報に基づいて、該指定結果に対応する検査情報を検索し、
前記制御手段は、該検索された検査情報を前記表示手段に表示させる、
ことを特徴とする請求項９に記載の検査情報処理システム。
【請求項１１】
前記検査手段は、一の手術段階において、異なる複数の種類の検査情報を取得し、
前記生成手段は、前記関連情報として、該取得された検査情報と該検査情報の種類を表す種類情報と前記段階情報とを関連付ける情報を生成し、
前記検索手段は、前記操作手段により手術段階が指定されたときに、該関連情報に基づいて、該指定結果に対応する前記複数の種類の検査情報を検索する、
ことを特徴とする請求項１に記載の検査情報処理システム。
【請求項１２】
表示手段と、
前記検索手段により検索された前記複数の種類の検査情報を前記表示手段に表示させる制御手段と、
を更に備えることを特徴とする請求項１１に記載の検査情報処理システム。
【請求項１３】
前記検査手段は、異なる複数の種類の検査情報を取得し、
前記生成手段は、前記関連情報として、該取得された検査情報と該検査情報の種類を表す種類情報と前記段階情報とを関連付ける情報を生成し、
前記検索手段は、前記操作手段により手術段階及び種類情報が指定されたときに、該関連情報に基づいて、該指定結果に対応する検査情報を検索する、
ことを特徴とする請求項１に記載の検査情報処理システム。
【請求項１４】
表示手段と、
前記検索手段により検索された検査情報を前記表示手段に表示させる制御手段と、
を更に備えることを特徴とする請求項１３に記載の検査情報処理システム。
【請求項１５】
手術患者に対する検査により取得された検査結果を含む検査情報を処理する検査情報処理装置であって、
前記検査情報が取得された手術段階を表す段階情報を生成し、前記段階情報と前記検査情報とを関連付ける関連情報を生成する生成手段と、
操作手段と、
前記操作手段により手術段階が指定されたときに、前記関連情報に基づいて、前記指定された手術段階に対応する検査情報を検索する検索手段と、
を備えることを特徴とする検査情報処理装置。
【発明の詳細な説明】
【技術分野】
【０００１】
この発明は、検査情報を処理する検査情報処理システム及び検査情報処理装置に関するもので、特に、手術患者に対して検査を実施して得られる情報を処理する技術に関する。
【背景技術】
【０００２】
被検体の画像を取得するための検査は、放射線検査部において、診療部で発行された依頼（オーダ）に基づいて実施する。このとき、オーダは検査単位に発行され、検査はオーダ単位で実施される。すなわち、オーダと検査は、一対一に対応している。
【０００３】
一つの検査では、一般に、複数の画像が取得される。これらの画像には、たとえば異なる方向や位置の断面における画像が含まれている。画像は、たとえばＸ線診断装置、Ｘ線ＣＴ（Ｃｏｍｐｕｔｅｄ  Ｔｏｍｏｇｒａｐｈｙ）装置、磁気共鳴イメージング（Ｍａｇｎｅｔｉｃ  Ｒｅｓｏｎａｎｃｅ  Ｉｍａｇｉｎｇ；ＭＲＩ）装置、ＰＥＴ（Ｐｏｓｉｔｒｏｎ  Ｅｍｉｓｓｉｏｎ  Ｃｏｍｐｕｔｅｄ  Ｔｏｍｏｇｒａｐｈｙ）装置、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置、超音波診断装置などの医用画像診断装置によって取得される。また、内視鏡による内視鏡画像、手術用顕微鏡や病理組織検査用顕微鏡などによる顕微鏡画像を取得することもある。更に、検査においては、脳波や心電図などの生体情報を取得することもある。
【０００４】
検査で取得された画像は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）などに保管される。医師は、画像ビューアを用いて画像を観察しつつ診断を行って読影レポートを作成する。このようなシステムは、たとえば特許文献１に開示されている。
【０００５】
ＰＡＣＳは、複数の画像を検査単位で保管しているので、画像の観察や読影レポートの作成も検査単位で行われる。これは、放射線検査部での管理に適するようにシステムが構築されていることに起因している。すなわち、オーダは検査単位で発行され、放射線検査部でのデータ管理もオーダ単位で行っていることを受けて、システムは、オーダ単位つまり検査単位でデータを処理するように構築されている。
【０００６】
特許文献２には、手術中に取得された動画像の検索を容易にするために、施術行為や器具の名称データを選択指定するときの操作タイミングに対応する動画像の一齣をインデックス画像として記録する装置が開示されている。
【０００７】
なお、手術においては、手術用顕微鏡や病理組織検査用顕微鏡による顕微鏡画像や、内視鏡による内視鏡画像などを取得することもある。また、心電計による心電図の取得、脳波計による脳波の取得、血圧計による血圧の取得など、画像撮影以外の検査を実施することもある。このように、手術においては、患者に対して様々な検査が実施され、それにより様々な検査情報が取得される。
【０００８】
【特許文献１】特開２００５−３２７３０２号公報
【特許文献２】特開２００６−４３２０９号公報
【発明の開示】
【発明が解決しようとする課題】
【０００９】
上記のような従来の技術によれば、手術において取得された検査情報を処理する際に次のような問題の発生が懸念される。
【００１０】
手術においては、複数回の検査を行うことが一般的である。たとえば、手術前、手術中及び手術後にそれぞれ検査を実施することがある。また、手術中には、たとえば頭部の手術の場合、開頭後、疾病部位の摘出後、閉頭後など、手術の様々な段階で検査を実施することがある。更に、手術の一つの段階においても、手技を変更しつつ複数回の検査を実施することがある。
【００１１】
このように一回の手術において複数回の検査を行った場合に、従来のようにデータを検査単位で管理する構成を適用すると、画像等の検査結果を参照する際に各検査の結果を一つひとつ確認しながら求める情報を探し出さねばならず、技師や医師に大きな負担が掛かってしまう。
【００１２】
なお、術後における検査結果の参照は、たとえば手術記録を作成する際、読影レポートを作成する際、診療を支援する際、手術中の医療ミスを探索する際、手術内容を医学生や研修医等に教育目的で視聴させる際などに実施される。
【００１３】
更に、手術の内容や結果を患者に説明する際にも検査結果を参照することがある。その場合には、検査結果の探索に時間を要するために説明時間が不要に長引き、患者にも大きな負担が掛かってしまう。
【００１４】
また、特許文献２のように施術行為毎や器具毎にインデックス画像を作成する方式は、このインデックス画像を基に動画像の所望のシーンを探索するものであるため、他の画像や心電図や脳波などの情報を探索することができない。
【００１５】
更に、特許文献２に記載の方式では、手術の一段階に複数の検査を行う場合に対応することは困難である。すなわち、手術の一段階に複数の検査を行う場合、それらの検査結果と手術の段階とを関連付けることができないため、ユーザが所望する検査結果を選択的に探し出すことは難しい。
【００１６】
また、施術行為や器具は、一般に手術の段階と一対一に対応していないので、特許文献２に記載の方式では所望の検査結果を探索することは困難である。たとえば、特定の施術行為や器具は、手術の複数の段階においてそれぞれ使用されることがあり、その場合には、施術行為や器具を特定しても手術の段階を一意に特定することができず、結果として所望の検査結果を探索することが困難になる。
【００１７】
この発明は、以上のような問題を解決するためになされたもので、手術患者に対する検査により取得された情報を容易に探索することが可能な検査情報処理システム及び検査情報処理装置を提供することを目的とする。
【課題を解決するための手段】
【００１８】
上記目的を達成するために、請求項１に記載の発明は、手術患者に対して検査を実施して、少なくとも検査結果を含む検査情報を取得する検査手段と、前記取得された検査情報を記憶する記憶手段と、前記検査情報が取得された手術段階を表す段階情報を生成し、前記段階情報と前記検査情報とを関連付ける関連情報を生成する生成手段と、操作手段と、前記操作手段により手術段階が指定されたときに、前記関連情報に基づいて、前記指定された手術段階に対応する検査情報を前記記憶手段から検索する検索手段と、を備えることを特徴とする検査情報処理システムである。
【００１９】
また、請求項１５に記載の発明は、手術患者に対する検査により取得された検査結果を含む検査情報を処理する検査情報処理装置であって、前記検査情報が取得された手術段階を表す段階情報を生成し、前記段階情報と前記検査情報とを関連付ける関連情報を生成する生成手段と、操作手段と、前記操作手段により手術段階が指定されたときに、前記関連情報に基づいて、前記指定された手術段階に対応する検査情報を検索する検索手段と、を備えることを特徴とする。
【発明の効果】
【００２０】
この発明は、手術患者に対する検査により取得された検査情報と、この検査情報が取得された手術段階を表す段階情報とを関連付ける関連情報を生成するとともに、操作手段により手術段階が指定されたときに、この手術段階に対応する検査情報を関連情報に基づいて検索するように作用する。
【００２１】
したがって、この発明によれば、手術段階を指定するだけで、その手術段階において得られた検査情報を取得できるので、所望の検査情報を容易に探索することが可能である。
【発明を実施するための最良の形態】
【００２２】
この発明に係る検査情報処理システム及び検査情報処理装置の好適な実施形態の一例について、図面を参照しながら詳細に説明する。
【００２３】
手術においては、様々な段階（手術段階と呼ぶ）で患者に検査を実施して各種の情報を取得する。このような検査により取得される情報を検査情報と称する。検査情報には、当該検査の検査結果が少なくとも含まれる。この発明は、検査情報の処理に関するものである。
【００２４】
ここで、手術段階には、手術前、手術中及び手術後のうちの少なくともいずれかが含まれている。また、手術中には、様々な段階を設定することができる。たとえば、胸部の手術においては、開胸前、開胸後、疾病部位の摘出後、閉胸後などの段階を設定できる。
【００２５】
また、手術において取得される検査情報としては、従来と同様に、画像、心電図、脳波、血圧などがある。画像には、医用画像診断装置により撮影される医用画像、内視鏡画像、顕微鏡画像などがある。また、心電図、脳波、血圧以外の任意の生体情報を取得することも可能である。
【００２６】
［構成］
この発明に係る検査情報処理システムの構成について説明する。図１は、検査情報処理システムの構成の一例を表している。図１に示す検査情報処理システム１は、手術患者の検査を実施する機能を有するとともに、手術記録の作成を支援する機能を有する。
【００２７】
検査情報処理システム１は、検査装置１０、検査情報保管装置２０、手術記録作成装置３０及び手術記録保管装置４０を含んで構成される。これらの装置１０〜４０は、ＬＡＮ（Ｌｏｃａｌ  Ａｒｅａ  Ｎｅｔｗｏｒｋ）や専用線などの通信回線を介して通信可能に接続されている。
【００２８】
検査情報処理システム１の機能の概要を説明する。検査装置１０は、手術患者に対して各種の検査を実施して検査情報を取得する。取得された検査情報は、検査情報保管装置２０に送られて保管される。また、検査装置１０は、検査が実施された手術段階を表す情報と、その検査情報とを関連付けるリンク情報を生成し、手術記録作成装置３０に送る。
【００２９】
手術記録作成装置３０は、オペレータの指示に応じて手術記録を作成する装置である。手術記録作成装置３０は、手術記録に記載する検査情報を検査情報保管装置２０から取得する。このとき、後述のリンク情報を参照することにより、オペレータが所望の検査情報を探索する作業を支援する。作成された手術記録は、手術記録保管装置４０に送られて保管される。以下、このように機能する検査情報処理システム１の構成の詳細を説明する。
【００３０】
〔検査装置〕
検査装置１０は、手術室内に設置され、手術患者に対して各種の検査を実施する。検査装置１０は、制御部１１、画像撮影部１２Ａ、生体情報取得部１２Ｂ、表示部１３、操作部１４及びリンク情報生成部１５を含んで構成される。
【００３１】
（制御部）
制御部１１は、検査装置１０の各部を制御する。その一例として、制御部１１は、表示部１３に各種の画面や画像を表示させる。また、制御部１１は、操作部１４が操作されたときに、その操作内容に応じた動作を検査装置１０に実行させる。たとえば、制御部１１は、操作内容に応じて画像撮影部１２Ａの撮影条件を設定する。
【００３２】
制御部１１は、ＣＰＵ（Ｃｅｎｔｒａｌ  Ｐｒｏｃｅｓｓｉｎｇ  Ｕｎｉｔ）等のマイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブなどを含んで構成される。
【００３３】
ＲＯＭやハードディスクドライブにはコンピュータプログラムがあらかじめ格納されている。マイクロプロセッサがこのコンピュータプログラムをＲＡＭ上に展開することにより、制御部１１は動作する。
【００３４】
また、制御部１１は、検査情報保管装置２０との間でデータ通信を行うための通信機器を含んでいる。この通信機器は、たとえばＬＡＮカード等のネットワークアダプタにより構成される。
【００３５】
（画像撮影部）
画像撮影部１２Ａは、手術患者の画像を撮影する。画像撮影部１２Ａは、たとえば、医用画像診断装置、内視鏡、顕微鏡などの撮影装置により構成される。画像撮影部１２Ａは、手術患者の画像を撮影し、その画像のデジタルデータを生成する。なお、以下の説明において、画像と、この画像のデジタルデータとを同一視することがある。
【００３６】
画像撮影部１２Ａは、生成した画像を制御部１１に送る。制御部１１は、画像生成部１２Ａから入力された画像を検査情報保管装置２０に送信する。
【００３７】
画像撮影部１２Ａは、検査情報としての画像を取得するもので、この発明の「検査手段」の一例として機能するものである。
【００３８】
（生体情報取得部）
生体情報取得部１２Ｂは、手術患者の生体情報を取得する。生体情報取得部１２Ｂは、たとえば、心電計、脳波計、血圧計などの生体情報検査装置により構成される。生体情報取得部１２Ｂは、取得した生体情報のデジタルデータを生成する。たとえば、心電計においては、各検出時刻における電圧の検出値をデジタル化する。
【００３９】
生体情報取得部１２Ｂは、検査情報としての生体情報を取得するもので、この発明の「検査手段」の一例として機能するものである。
【００４０】
なお、この実施形態では、検査手段として、手術患者の画像を撮影する手段と、生体情報を取得する手段の双方を設けているが、これらのうちの一方のみを設けた構成を採用することも可能である。また、これら以外の任意の検査情報を取得する手段を具備していてもよい。
【００４１】
（表示部）
表示部１３は、制御部１１により制御され、各種の画面や画像などの情報を表示する。表示部１３には、たとえば、画像撮影部１２Ａの撮影条件を設定するための操作画面や、撮影された画像を表示するための画面などが表示される。
【００４２】
表示部１３は、たとえばＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなどの任意の表示デバイスにより構成される。
【００４３】
（操作部）
操作部１４は、検査装置１０の操作や、情報の入力を行うためのデバイスである。操作部１４は、たとえば、画像撮影部１２Ａや生体情報取得部１２Ｂの操作や設定、表示部１３の表示内容に関する操作などに用いられる。
【００４４】
操作部１４は、たとえばキーボード、マウス、トラックボール、ジョイスティック等の汎用のデバイスを含んで構成される。また、操作部１４は、専用の操作卓などを含んでいてもよい。
【００４５】
なお、図１においては、表示部１３と操作部１４を個別に記載しているが、たとえばペンタブレットを用いるなど、これらを一体的に構成することも可能である。
【００４６】
（リンク情報生成部）
リンク情報生成部１５は、画像撮影部１２Ａや生体情報取得部１２Ｂにより取得された検査情報と、この検査情報が取得された手術段階とを関連付けるリンク情報を生成する。更に、リンク情報生成部１５は、生成したリンク情報を手術記録作成装置３０に送信する。
【００４７】
リンク情報は、この発明の「関連情報」の一例に相当する。また、リンク情報生成部１５は、この発明の「生成手段」の一例として機能するものである。
【００４８】
リンク情報生成部１５は、たとえばマイクロプロセッサ、ＲＡＭ、ＲＯＭ、ハードディスクドライブ、通信機器などを含んで構成される。ハードディスクドライブにはコンピュータプログラムがあらかじめ格納されている。マイクロプロセッサがこのコンピュータプログラムをＲＡＭ上に展開することにより、リンク情報生成部１５はリンク情報の生成処理を実行する。
【００４９】
（処理の具体例）
ここで、リンク情報を生成する処理の具体例を説明する。手術患者に対して検査を実施するとき（実施直前、実施中又は実施直後）、オペレータは、操作部１４を操作して手術段階を指定する。手術段階の指定は、たとえば手術段階の選択肢を表示部１３に表示させ、所望の選択肢をオペレータが指定することで行う。
【００５０】
図２は、手術段階の識別情報（手術段階ＩＤ）と、手術段階の表示用情報（表示段階レベル）とを対応付ける手術段階テーブルＴ１を表している。手術段階テーブルＴ１は、ハードディスクドライブ等にあらかじめ格納されている。手術段階ＩＤは、この発明の「段階情報」の一例に相当する。
【００５１】
制御部１１は、手術段階テーブルＴ１に記録された表示段階ラベルを表示部１３に表示させる。なお、事前に手術部位や手術内容が指定されている場合には、これに該当する表示段階ラベルのみを選択して表示させる。たとえば、頭部の手術を行う際には、「手術前」、「手術後」、「開頭後」、「左側頭部摘出後」など、頭部の手術に関連する表示段階ラベルのみを表示させる。
【００５２】
このとき、一般的な手術の工程に応じた順序で表示段階ラベルを配列表示させることが望ましい。たとえば頭部手術の場合、「手術前」、「開頭後」、「左側頭部摘出後」、「手術後」、の順に配列させることが望ましい。
【００５３】
手術段階ラベルが指定され、かつ、検査情報が取得されると、リンク情報生成部１５は、手術段階テーブルＴ１を参照し、指定された手術段階ラベルに対応する手術段階ＩＤを取得する。更に、リンク情報生成部１５は、この手術段階ＩＤと検査情報とを関連付けるリンク情報を生成する。
【００５４】
リンク情報について更に詳しく説明する。検査を行うときには、その識別情報（検査ＩＤ）が発行される。検査ＩＤとしては、前述したオーダの識別情報を用いてもよいし、検査装置１０が新たに発行する識別情報を用いてもよい。
【００５５】
リンク情報生成部１５は、リンク情報として、手術段階ＩＤと検査ＩＤとを関連付ける情報を生成することができる。なお、検査ＩＤを用いる代わりに、検査情報保管装置２０に検査情報を保管するときの保管位置を表す情報を用いることもできる。なお、保管位置を表す情報としては、たとえば検査情報保管装置２０の記憶領域のディレクトリやフォルダ名などを用いることができる。
【００５６】
また、検査装置１０は、画像撮影部１２Ａにより撮影される各画像に対して識別情報（画像ＩＤ）を発行する。特に、一の検査において複数の画像を撮影する場合、検査装置１０は、複数の画像のそれぞれに異なる画像ＩＤを発行する。このように、画像については、その画像を取得した検査の検査ＩＤが発行されるとともに、各画像毎の画像ＩＤが発行される。
【００５７】
検査装置１０（画像撮影部１２Ａ）がＤＩＣＯＭに準拠した装置である場合には、ＤＩＣＯＭにおけるＩＤを発行することができる。ここで、ＤＩＣＯＭとは、医用デジタル画像と通信に関する標準規格であり、Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅの略語である。
【００５８】
このように検査情報が画像である場合、各画像を識別可能にするために、手術段階ＩＤと検査ＩＤと画像ＩＤとを関連付ける情報を、リンク情報として生成することが望ましい。
【００５９】
また、手術において画像を参照する場合、撮影された画像のうちから所望の画像を選択的に参照することが多々ある。また、撮影された画像のうちに不要な画像が含まれていることもある。このような場合としては、たとえば、撮影条件を変えて複数回撮影を行った場合や、疾病部位の全体を撮影するために撮影範囲を広めに設定した場合や、疾病部位を様々な方向から撮影した場合などがある。
【００６０】
このような場合には、手術で参照された画像についてのみ、リンク情報を生成するように構成することができる。その際、リンク情報は、上記のように手術段階ＩＤと検査ＩＤと画像ＩＤとを関連付ける情報であってもよいし、また、画像ＩＤの代わりに、当該検査における当該画像の撮影順序を表す情報を関連付ける情報であってもよい。なお、撮影順序を表す情報以外にも、当該画像を特定可能にする任意の情報を用いることができる。
【００６１】
また、各手術には、それを識別するための手術ＩＤが発行される。手術ＩＤの発行は、たとえば検査装置１０が行う。リンク情報は、前述の各種ＩＤに手術ＩＤも関連付ける情報であってもよい。
【００６２】
図３は、リンク情報の一例を表している。図３に示す画像管理テーブルＴ２は、手術患者の撮影画像に関するリンク情報の具体例である。画像管理テーブルＴ２は、手術ＩＤ、手術段階ＩＤ、検査ＩＤ及び画像ＩＤを関連付けるテーブル情報である。
【００６３】
画像管理テーブルＴ２は、複数の手術に関する情報を一元的に管理している。各手術は、手術ＩＤによって識別される。以下、手術ＩＤ「１００００１」の手術におけるＩＤの関連付けについて説明する。
【００６４】
この手術では、手術段階ＩＤが「０００１」、「１００１」及び「０００２」の手術段階において画像が取得されている。ここで、図２を参照すると、手術段階ＩＤ「０００１」は「手術前」に対応し、手術段階ＩＤ「１００１」は「開頭後」に対応し、手術段階ＩＤ「０００２」は「手術後」に対応している。なお、手術段階ＩＤ「１００１」には、２つの画像が関連付けられている。
【００６５】
検査ＩＤは、前述のように各検査毎に付与される。画像管理テーブルＴ２によれば、手術段階ＩＤ「０００１」には、単一の検査ＩＤ「１０００４８５」が関連付けられている。また、手術段階ＩＤ「１００１」には、単一の検査ＩＤ「１０００４８６」が関連付けられている。また、手術段階ＩＤ「０００２」には、単一の検査ＩＤ「１０００４８７」が関連付けられている。すなわち、これらの手術段階において、それぞれ一つの検査（画像撮影）が実施されたことになる。なお、手術で参照した画像についてのみリンク情報を生成する場合においては、各手術段階において一つの検査の結果のみが参照されたことになる。
【００６６】
図３に示す画像ＩＤは、各検査における画像の撮影順序を表している。手術段階「０００１」には、画像ＩＤ「００００１」、すなわち、検査ＩＤ「１０００４８５」の検査において第１番目に撮影された画像が関連付けられている。同様に、手術段階「１００１」には、画像ＩＤ「００００２」及び「００００４」、すなわち、検査ＩＤ「１０００４８６」の検査において第２番目及び第４番目に撮影された画像が関連付けられている。また、手術段階「０００２」には、画像ＩＤ「００００２」、すなわち、検査ＩＤ「１０００４８７」の検査において第２番目に撮影された画像が関連付けられている。
【００６７】
このような画像管理テーブルＴ２によれば、手術において取得された画像を、手術毎に、手術段階毎に、検査毎に、そして画像毎に一意的な管理を実現することができる。
【００６８】
なお、生体情報に関するリンク情報についても同様に生成することができる。たとえば、単一の検査に一つの生体情報しか取得されない場合には、手術段階ＩＤと検査ＩＤとを関連付けることによりリンク情報を生成する。また、単一の検査で複数の生体情報を取得する場合には、前述した画像の場合と同様に、生体情報毎の識別情報を付与することによりリンク情報を生成する。
【００６９】
〔検査情報保管装置〕
検査情報保管装置２０は、検査装置１０により取得された検査情報を保管する装置である。検査情報保管装置２０は、画像を保管する装置と生体情報等を保管する装置とが個別に設けられていてもよい。
【００７０】
画像を保管する検査情報保管装置２０としては、たとえばＰＡＣＳの画像データベースなどが用いられる。また、生体情報を保管する検査情報保管装置２０としては、たとえば専用のデータベースを設置することもできるし、既存の任意の記憶装置を用いることもできる。検査情報保管装置２０は、この発明の「記憶手段」の一例として機能するものである。
【００７１】
〔手術記録作成装置〕
手術記録作成装置３０は、手術に関する情報を記録するレポート（手術記録）の作成に用いられるコンピュータである。手術記録作成装置３０は、手術記録の作成を行う任意の場所に設置されている。
【００７２】
手術記録作成装置３０は、制御部３１、表示部３２、操作部３３、情報記憶部３４、検索部３５、手術記録作成部３６を含んで構成されている。
【００７３】
（制御部）
制御部３１は、手術記録作成装置３０の各部を制御する。その一例として、制御部３１は、表示部３２に各種の画面や画像を表示させる。また、制御部３１は、操作部３３が操作されたときに、その操作内容に応じた動作を手術記録作成装置３０に実行させる。たとえば、制御部３１は、操作内容に基づいて、検査情報の検索処理や手術記録の作成処理を手術記録作成装置３０に実行させる。
【００７４】
制御部３１は、マイクロプロセッサ、ＲＡＭ、ＲＯＭ、ハードディスクドライブなどを含んで構成される。また、制御部３１は、検査情報保管装置２０との間でデータ通信を行うためのＬＡＮカード等の通信機器を含んでいる。
【００７５】
ＲＯＭやハードディスクドライブにはコンピュータプログラムがあらかじめ格納されている。マイクロプロセッサがこのコンピュータプログラムをＲＡＭ上に展開することにより、制御部３１は動作する。制御部３１は、この発明の「制御手段」の一例として機能する。
【００７６】
（表示部）
表示部３２は、制御部３１により制御され、各種の画面や画像などの情報を表示する。表示部３２には、たとえば、検査情報の検索を行うための画面や、手術記録の作成を行うための画面などが表示される。
【００７７】
表示部３２は、たとえばＬＣＤやＣＲＴディスプレイなどの任意の表示デバイスにより構成される。表示部３２は、この発明の「表示手段」の一例として機能する。
【００７８】
（操作部）
操作部３３は、手術記録作成装置３０の操作や、情報の入力を行うためのデバイスである。操作部３３は、たとえば、検索対象とする検査情報の指定や情報の入力、更に、手術記録の情報入力などに用いられる。
【００７９】
操作部３３は、たとえばキーボード、マウス、トラックボール、ジョイスティック等の汎用のデバイスを含んで構成される。また、操作部３３は、専用の操作卓やペンタブレットなどを含んでいてもよい。
【００８０】
（情報記憶部）
情報記憶部３４は、検査装置１０により生成されて送信されたリンク情報を記憶する。情報記憶部３４に記憶されたリンク情報は、制御部３１によって適宜に読み出される。情報記憶部３４は、たとえばハードディスクドライブ等の記憶装置と、検査装置１０からリンク情報を受信する通信機器とを含んで構成される。
【００８１】
また、情報記憶部３４は、図２に示した手術段階テーブルＴ１をあらかじめ記憶している。
【００８２】
（検索部）
検索部３５は、リンク情報に基づいて、検査情報保管装置２０に格納されている検査情報を検索する。この検索処理の具体例を説明する。オペレータが手術段階を指定すると、検索部３５は、画像管理テーブルＴ２を参照し、指定された手術段階の手術段階ＩＤに関連づけられた画像ＩＤを特定する。そして、検索部３５は、特定された画像ＩＤが付与された画像を検査情報保管装置２０から取得する。
【００８３】
一つの手術段階に複数の検査が実施された場合などにおいて、オペレータが手術段階と検査を指定したときには、検索部３５は、指定された手術段階及び検査に対応する手術段階ＩＤ及び検査ＩＤに関連づけられた画像ＩＤを特定し、この画像ＩＤが付与された画像を検査情報保管装置２０から取得する。
【００８４】
また、一つの手術段階に複数の画像が撮影された場合などにおいて、オペレータが手術段階と画像を指定したときには、検索部３５は、指定された手術段階及び画像に対応する手術段階ＩＤ及び画像ＩＤに関連づけられた画像ＩＤを特定し、この画像ＩＤが付与された画像を検査情報保管装置２０から取得する。
【００８５】
なお、画像管理テーブルＴ２は、上位から下位に向かって手術ＩＤ、手術段階ＩＤ、検査ＩＤ、画像ＩＤの順に階層的に構成されたテーブル情報である。すなわち、一つの手術ＩＤに対して一つ以上の手術段階ＩＤが関連づけられ、一つの手術段階ＩＤに対して一つ以上の検査ＩＤが関連づけられ、一つの検査ＩＤに対して一つ以上の画像ＩＤが関連づけられている。したがって、下位の情報が指定されたことに対応して上位の情報が一意的に決定されるように構成することが可能である。この場合、オペレータは、下位の情報のみを指定するだけでよい。
【００８６】
検索部３５は、この発明の「検索手段」の一例として機能する。また、検索部３５は、マイクロプロセッサ、ＲＡＭ、通信機器等を含んで構成される。
【００８７】
（手術記録作成部）
手術記録作成装置３０は、前述のように手術記録を作成するための装置である。手術記録作成部３６は、手術記録のテンプレートをあらかじめ記憶している。このテンプレートは、手術記録を作成するための一定の形式の用紙の画像データである。
【００８８】
オペレータは、このテンプレートを表示部３２に表示させ、操作部３３を操作して情報を入力する。手術記録作成部３６は、入力された情報を、テンプレートに応じた形式で記録することにより手術記録のデータを作成する。
【００８９】
ここで、テンプレートに応じた形式とは、手術記録の記載内容を、たとえば、患者ＩＤや患者氏名等の患者情報、手術日時、執刀医や手術記録の作成者等の医師情報、手術の内容等の手術情報などに分類して記録するものである。
【００９０】
手術記録作成部３６は、マイクロプロセッサや、テンプレート等を記録するハードディスクドライブなどを含んで構成される。
【００９１】
（手術記録保管装置）
手術記録保管装置４０は、手術記録作成装置３０により作成された手術記録（のデータ）を保管する装置である。制御部３１は、作成された手術記録を手術記録保管装置４０に送信する。手術記録保管装置４０は、手術記録作成装置３０から送信された手術記録を格納する。
【００９２】
手術記録保管装置４０は、ハードディスクドライブ等の記憶装置、通信機器等を含んで構成される。
【００９３】
なお、この実施形態では、手術記録作成装置３０と手術記録保管装置４０とを個別に設けているが、このような構成は、たとえば大規模の医療機関などのように複数の手術記録作成装置３０が設置され、かつ、手術記録を一元管理する場合に有効である。一方、たとえば小規模の医療機関などにおいては、手術記録作成装置３０に内蔵されたハードディスクドライブに手術記録を保管するなど、手術記録作成装置３０と手術記録保管装置４０とを一体的に構成してもよい。
【００９４】
［使用形態］
検査情報処理システム１の使用形態について説明する。
【００９５】
図４、図５に示すフローチャートは、検査情報処理システム１の使用形態の一例を表している。図４のフローチャートは、手術において実施された検査のリンク情報を生成するための使用形態の具体例を表している。また、図５のフローチャートは、手術記録を作成するときの使用形態の具体例を表している。
【００９６】
なお、この使用形態では、特に検査情報が画像である場合について説明し、それ以外の種類の検査情報を処理する場合については後述することにする。
【００９７】
〔リンク情報の生成：図４〕
まず、検査の依頼を行う（Ｓ１）。検査の依頼は、たとえば、手術を行っている医師（手術医）が、放射線技師等の検査者に対して行う。
【００９８】
検査装置１０は、検査者の指示に基づいて手術患者の画像を撮影する（Ｓ２）。検査装置１０は、各撮影画像に対して検査ＩＤと画像ＩＤを付与する（Ｓ３）。
【００９９】
検査装置１０は、撮影画像を表示部１３に表示する（Ｓ４）。このとき、手術医は、検査者に指示を出したり、自身で検査装置１０を操作することにより、所望の撮影画像を選択的に表示させる。手術医は、表示された画像を参照して手術を行う。
【０１００】
次に、検査装置１０は、手術医が参照した画像に対して手術段階ＩＤを発行する（Ｓ５）。この処理は、たとえば図２に示す手術段階テーブルＴ１を参照して実行される。
【０１０１】
手術段階ＩＤは、たとえば、手術医や検査者が手術段階を入力することにより決定される。なお、手術医が手術段階を入力する場合には、たとえばフットスイッチやフットレバーのように、足で操作する操作手段によって入力することが望ましい。
【０１０２】
また、手術患者の病名や手術の術式に応じて手術の工程があらかじめ決まっている場合には、検査装置１０が手術段階を自動的に特定して手術段階ＩＤを発行するように構成することも可能である。
【０１０３】
続いて、検査装置１０は、ステップ３で発行された検査ＩＤ及び画像ＩＤと、ステップ５で発行された手術段階ＩＤとに基づいて、リンク情報（図３に示す画像管理テーブルＴ２の一部）を生成する（Ｓ６）。リンク情報は、特に手術医が参照した各画像について生成される。なお、画像管理テーブルＴ２に含まれる手術ＩＤは、手術の開始前などにあらかじめ入力されている。
【０１０４】
更に、検査装置１０は、生成されたリンク情報を手術記録作成装置３０に送信する（Ｓ７）。手術記録作成装置３０は、検査装置１０から送信されたリンク情報を受信し、情報記憶部３４に記憶する（Ｓ８）。
【０１０５】
なお、検査装置１０から送信するリンク情報は、ステップ６にて新たに生成されたもののみを送信してもよいし、過去に生成したリンク情報も含めて送信してもよい。前者の場合、情報記憶部３４は、事前に記憶している過去のリンク情報に新たに送信されたリンク情報を追加して記憶する。一方、後者の場合には、情報記憶部３４は、事前に記憶しているリンク情報を新たに送信されたリンク情報に更新して記憶する。
【０１０６】
また、検査装置１０は、ステップ２で撮影された画像、特にステップ４で手術医が参照した画像を、ステップ３で付与された検査ＩＤ及び画像ＩＤとともに検査情報保管装置２０に送信する（Ｓ９）。検査情報保管装置２０は、検査装置１０から送信された画像等を格納する（Ｓ１０）。
【０１０７】
なお、ステップ９及びステップ１０に示す処理は、ステップ５以前の任意のタイミングで実行することが可能である。以上で、リンク情報の生成に関する処理の説明を終了する。
【０１０８】
〔手術記録の作成：図５〕
最初に、手術記録作成装置３０のオペレータは、操作部３３を操作して手術ＩＤを入力する（Ｓ２１）。
【０１０９】
手術記録作成装置３０は、情報記憶部３４に記憶されたリンク情報に基づいて、ステップ２１で入力された手術ＩＤに対応する手術段階を表示する（Ｓ２２）。この処理は、たとえば次のようにして実行される。まず、制御部３１は、リンク情報（画像管理テーブルＴ２）を参照し、オペレータが入力した手術ＩＤに関連付けられた手術段階ＩＤを特定する。次に、制御部３１は、情報記憶部３４に記憶された手術段階テーブルＴ１を参照し、この手術段階ＩＤに対応する手術段階を特定する。そして、制御部３１は、特定された手術段階を表す情報を表示部３２に表示させる。このとき、複数の検査情報（画像）に関連付けられた手術段階については、これらの検査情報を表す情報も表示させる。
【０１１０】
オペレータは、操作部３３を操作し、ステップ２２で表示された手術段階のうちから所望の手術段階を指定する（Ｓ２３）。なお、指定した手術段階に複数の検査情報（画像）が含まれている場合、オペレータは、所望の検査情報を指定する。また、前述のように、手術段階と検査情報が階層的に表示されているときには、下位の検査情報を指定することによって、上位の手術段階が自動的に指定される。
【０１１１】
検索部３５は、リンク情報を参照し、ステップ２３での指定結果に該当する検査情報を検査情報保管装置２０から検索する（Ｓ２４）。このとき、検索部３５は、たとえば、リンク情報に基づいて得られる検査ＩＤや画像ＩＤを含む信号を検査情報保管装置２０に送信する。この信号には、画像の検索要求や検索結果の送信先情報（ネットワークアドレス等）も含まれている。検査情報保管装置２０は、この信号を受信すると、当該検査ＩＤや画像ＩＤが付加された画像を探索し、この画像を手術記録作成装置３０に送信する。
【０１１２】
図２、図３を参照しつつ、この検索処理の具体例を説明する。画像管理テーブルＴ２における手術ＩＤ「１００００１」の手術について、手術段階として「手術前」が指定された場合について説明する。検索部３５は、手術段階テーブルＴ１を参照し、手術段階「手術前」に対応する手術段階ＩＤ「０００１」を特定する。続いて、検索部３５は、画像管理テーブルＴ２を参照し、手術段階ＩＤ「０００１」に対応する検査ＩＤ「１０００４８５」及び画像ＩＤ「００００１」を特定する。そして、検索部３５は、特定された検査ＩＤと画像ＩＤが付加された画像を検査情報保管装置２０から検索する。
【０１１３】
この具体例は、一つの手術段階に一つの検査情報が取得された場合の処理の例である。したがって、手術ＩＤ「１００００１」の手術における手術段階「０００２」が指定された場合にも同様の処理が実行される。一方、一つの手術段階に複数の検査情報が取得された場合については、次のような処理を実行することができる。この場合、オペレータは、ステップ２３において所望の検査情報を指定することになる。指定される検査情報としては、検査の種類や検査ＩＤ、更には検査情報自体や画像ＩＤなどがある。
【０１１４】
一つの検査において一つの検査情報（画像等）が取得された場合、オペレータは、ステップ２３において検査ＩＤ等を指定すれば十分であり、画像ＩＤ等を指定する必要はない。また、一つの検査において複数の検査情報が取得された場合には、画像ＩＤ等も取得する必要がある。以下、これら２つのケースの検索処理の具体例を説明する。
【０１１５】
一つの検査において一つの検査情報が取得された場合、検索部３５は、画像管理テーブルＴ２を参照し、オペレータが指定した手術段階及び検査について、その手術段階ＩＤ及び検査ＩＤに対応する画像ＩＤを特定する。そして、検索部３５は、特定された検査ＩＤ及び画像ＩＤが付加された画像を検査情報保管装置２０から検索する。
【０１１６】
また、一つの検査において複数の検査情報が取得された場合、検索部３５は、オペレータが指定した手術段階、検査及び画像について、その検査ＩＤ及び画像ＩＤが付加された画像を検査情報保管装置２０から検索する。以上で、ステップ２４の検索処理の説明を終了する。
【０１１７】
制御部３１は、検索された検査情報を表示部３２に表示させる（Ｓ２５）。オペレータは、表示された画像を参照するなどして、手術記録のテンプレートに情報を記入する。手術記録作成部３６は、記入された情報に基づいて手術記録を作成する（Ｓ２６）。制御部３１は、作成された手術記録を手術記録保管装置４０に送信する（Ｓ２７）。手術記録保管装置４０は、手術記録作成装置３０から送信された手術記録を受信して格納する（Ｓ２８）。以上で、手術記録の作成処理の説明を終了する。
【０１１８】
［作用・効果］
この実施形態に係る検査情報処理システム１の作用及び効果を説明する。
【０１１９】
検査情報処理システム１は、以上に説明したように、検査装置１０と手術記録作成装置３０を含んで構成されている。検査装置１０は、手術患者に対して検査を実施して検査情報を取得する。検査としては、画像の撮影や生体情報の取得などがある。この実施形態では、検査装置１０により取得された検査情報は、検査情報保管装置２０に格納される。
【０１２０】
更に、検査装置１０は、取得された検査情報と、この検査情報が取得された手術段階とを関連付けるリンク情報を生成する。このリンク情報は、取得された検査情報の検査ＩＤや画像ＩＤと、手術段階に対応する手術段階ＩＤとを関連づけることにより、検査情報と手術段階との関連づけを行う。
【０１２１】
手術記録作成装置３０は、手術記録を作成するために使用される装置である。オペレータは、操作部３３を操作して手術段階を指定する。手術記録作成装置３０は、指定された手術段階に対応する検査情報を、リンク情報に基づいて検索する。
【０１２２】
以上のように作用する検査情報処理システム１によれば、手術段階を指定することにより、その手術段階において実施された検査で取得された検査情報を自動的に取得することができるので、所望の検査情報を容易に探索することが可能である。
【０１２３】
また、一の手術段階において二以上の検査情報が取得された場合、検査装置１０は、二以上の検査情報のそれぞれに対して当該手術段階を関連付けるリンク情報を生成する。すなわち、このリンク情報は、同じ手術段階で取得された各検査情報の検査ＩＤや画像ＩＤに対して同じ手術段階ＩＤを関連づけるものである。更に、手術記録作成装置３０は、これらの検査情報のうちのいずれかをオペレータが指定したときに、指定された検査情報を検索するように作用する。このとき、手術記録作成装置３０は、手術ＩＤとともに、検査ＩＤや画像ＩＤを参照して、目的の検査情報を検索する。
【０１２４】
このような検査情報処理システム１によれば、一の手術段階において二以上の検査情報が取得された場合であっても、所望の検査情報を容易に探索することが可能である。
【０１２５】
［変形例］
この実施形態に係る検査情報処理システム１の変形例を説明する。以下、図１に示した構成を適宜に引用する。
【０１２６】
〔変形例１〕
まず、検査情報として画像を取得する場合、特に複数の画像を取得する場合において、手術記録の作成者等による画像の指定操作を容易化する例を説明する。この変形例では、取得された画像の小画像を選択的に指定可能に表示することにより、画像の指定操作を容易化する技術について説明する。
【０１２７】
図６は、この変形例に係る検査情報処理装置の構成の一例を表している。この検査情報処理システムは、検査装置１０に小画像生成部１６が設けられていることを除けば、図１に示した検査情報処理システム１と同様の構成を備えている。
【０１２８】
小画像生成部１６は、画像撮影部１２Ａにより撮影された画像の小画像（の画像データ）を生成する。ここで、小画像とは、撮影画像を縮小した画像を意味する。小画像の具体例としては、撮影画像を加工して画像サイズを縮小したサムネイル画像や、撮影画像の表示サイズを縮小したサムネイル画像などがある。
【０１２９】
小画像生成部１６は、任意の公知技術を適用することにより、撮影画像の画像データに基づいて小画像の画像データを生成する。このとき、小画像生成部１６は、生成した小画像に対して識別情報（小画像ＩＤ）を付与するようになっている。この小画像ＩＤは、たとえば、その小画像の基になった画像の画像ＩＤに所定の情報（たとえば小画像であることを表す文字列情報）を付加したものとされる。
【０１３０】
小画像生成部１６は、小画像ＩＤが付与された小画像を手術記録作成装置３０に送信する。手術記録作成装置３０の情報記憶部３４は、検査装置１０から送信された小画像及び小画像ＩＤを受信して記憶する。
【０１３１】
制御部１１は、小画像に付与された小画像ＩＤをリンク情報生成部１５に送る。リンク情報生成部１５は、小画像の小画像ＩＤを含めたリンク情報を生成する。すなわち、リンク情報生成部１５は、小画像の小画像ＩＤを、その小画像の基になった画像の画像ＩＤとを関連付けるリンク情報を生成する。
【０１３２】
小画像生成部１６は、この発明の「小画像生成手段」の一例として機能するものである。小画像生成部１６は、所定のコンピュータプログラムにしたがって小画像を生成するマイクロプロセッサや、通信機器などを含んで構成される。
【０１３３】
図７は、小画像ＩＤを含むリンク情報の一例を表している。図７に示す画像管理テーブルＴ２′は、図３の画像管理テーブルＴ２に小画像ＩＤを追加して形成される情報である。画像管理テーブルＴ２′は、画像管理テーブルＴ２と同様の画像を管理するテーブル情報である。画像管理テーブルＴ２′は、各画像の手術ＩＤ、手術段階ＩＤ、検査ＩＤ及び画像ＩＤに対して小画像ＩＤを関連付けている。ここでは、画像ＩＤの末尾に文字列「ａ」を付加した小画像ＩＤが用いられている。
【０１３４】
この変形例に係る検査情報処理システムの使用形態を説明する。小画像の生成処理やリンク情報の生成処理については上述したので、手術記録の作成処理についてのみ以下に説明する。図８に示すフローチャートは、この検査情報処理システムを用いた手術記録の作成処理の一例を表している。
【０１３５】
最初に、手術記録作成装置３０のオペレータは、操作部３３を操作して手術ＩＤを入力する（Ｓ４１）。
【０１３６】
手術記録作成装置３０は、情報記憶部３４に記憶されたリンク情報に基づいて、ステップ４１で入力された手術ＩＤに対応する手術段階及び小画像を表示する（Ｓ４２）。この処理は、たとえば次のようにして実行される。
【０１３７】
まず、制御部３１は、リンク情報（画像管理テーブルＴ２′）を参照し、オペレータが入力した手術ＩＤに関連付けられた手術段階ＩＤを特定する。更に、制御部３１は、情報記憶部３４に記憶された手術段階テーブルＴ１を参照し、特定された手術段階ＩＤに対応する手術段階を特定する。
【０１３８】
また、制御部３１は、画像管理テーブルＴ２′に基づいて、特定された各手術段階に関連付けられた小画像ＩＤを特定する。更に、制御部３１は、特定された小画像ＩＤに対応する小画像の画像データを特定する。なお、小画像の画像データは、情報記憶部３４に記憶されている。
【０１３９】
そして、制御部３１は、特定された手術段階を表す情報と小画像とを表示部３２に表示させる。このとき、各小画像は、対応する手術段階毎に分類されて表示される。たとえば、図７の画像管理テーブルＴ２′を用いる場合においては、「手術前」の小画像として小画像ＩＤ「００００１ａ」の小画像が表示され、「開頭後」の小画像として小画像ＩＤ「００００２ａ」及び「００００４ａ」の二つの小画像が表示され、「手術後」の小画像として小画像ＩＤ「０００２ａ」の小画像が表示される。
【０１４０】
また、図９は、肺の手術において撮影された画像の小画像の表示態様の具体例を表している。図９に示す表示画面Ａは、表示部３２に表示される。表示画面Ａには、手術段階を表す表示情報Ｂ１、Ｂ２、Ｂ３が表示されている。ここで、表示情報Ｂ１、Ｂ２、Ｂ３は、それぞれ、手術段階を表す文字列「手術前」、「左肺野摘出後」、「手術後」を含んでいる。
【０１４１】
表示情報Ｂ１の下方には、対応する手術段階「手術前」における撮影画像の小画像の表示領域Ｃ１が設けられている。この表示領域Ｃ１には、この手術段階における撮影画像の小画像Ｇ１、Ｇ２がそれぞれ配列表示されている。また、表示情報Ｂ２の下方には、対応する手術段階「左肺野摘出後」における撮影画像の小画像の表示領域Ｃ２が設けられている。この表示領域Ｃ２には、この手術段階における撮影画像の小画像Ｇ３が表示されている。また、表示情報Ｂ３の下方には、対応する手術段階「手術後」における撮影画像の小画像の表示領域Ｃ３が設けられている。この表示領域Ｃ３には、この手術段階における撮影画像の小画像Ｇ４、Ｇ５がそれぞれ配列表示されている。
【０１４２】
オペレータは、操作部３３を操作し、ステップ４２で表示された小画像のうちから所望の小画像を指定する（Ｓ４３）。このとき、手術段階と小画像ＩＤとは階層的に関連付けられているので、下位の小画像ＩＤが指定されることによって、上位の手術段階が自動的に指定される。
【０１４３】
検索部３５は、リンク情報を参照し、ステップ４３で指定された小画像に対応する画像を検査情報保管装置２０から検索する（Ｓ４４）。このとき、検索部３５は、たとえば、指定された小画像の小画像ＩＤに関連付けられた検査ＩＤや画像ＩＤを特定し、この特定結果や検索要求を含む信号を検査情報保管装置２０に送信する。検査情報保管装置２０は、この信号を受信すると、当該検査ＩＤや画像ＩＤが付加された画像を探索し、この画像を手術記録作成装置３０に送信する。
【０１４４】
制御部３１は、検索された画像を表示部３２に表示させる（Ｓ４５）。ここで表示される画像は、オペレータが指定した小画像を拡大した画像である。オペレータは、表示された画像を参照するなどして、手術記録のテンプレートに情報を記入する。手術記録作成部３６は、記入された情報に基づいて手術記録を作成する（Ｓ４６）。制御部３１は、作成された手術記録を手術記録保管装置４０に送信する（Ｓ４７）。手術記録保管装置４０は、手術記録作成装置３０から送信された手術記録を受信して格納する（Ｓ４８）。以上で、手術記録の作成処理の説明を終了する。
【０１４５】
以上のように、この変形例に係る検査情報処理システムは、手術において撮影された画像の小画像を生成し、手術後に画像を参照する際に小画像を表示するように作用する。したがって、オペレータは、表示された小画像を観察することにより、どのような画像が手術において撮影されたかを把握することができ、その画像を詳細に観察すべきか否かの判断などを容易に行うことができる。特に、手術において複数の画像が撮影された際においては、詳細に観察したい画像を容易に選択することができる。
【０１４６】
また、この検査情報処理システムは、手術において撮影された画像の小画像を、手術段階毎に分類して表示するように構成されている。したがって、オペレータは、どの手術段階においてどのような画像が撮影されたかを容易に把握することができる。それにより、オペレータは、詳細に観察したい画像を容易に特定することが可能である。
【０１４７】
更に、この検査情報処理システムは、オペレータが小画像のいずれかを指定したときに、その小画像に対応する画像を検索して表示させるように機能する。それにより、オペレータは、詳細に観察したい画像を容易に選択して表示させることができる。
【０１４８】
この変形例に係る検査情報処理システムについては、次のように構成することも可能である。
【０１４９】
小画像生成手段は、検査装置１０以外の装置に設けられていてもよい。たとえば、手術記録作成装置３０に小画像生成手段を設けることができる。この場合、手術記録作成装置３０は、検査装置１０又は検査情報保管装置２０から画像を取得し、この画像に基づく小画像を生成する。
【０１５０】
この場合には更に、手術記録作成装置３０に生成手段が設けられる。この生成手段は、画像の画像ＩＤと小画像の小画像ＩＤとを関連付けてリンク情報（関連情報）を生成する。生成されたリンク情報は、情報記憶部３４に記憶される。
【０１５１】
〔変形例２〕
上記の実施形態では、検査情報として画像を取得する場合、すなわち単一の種類の検査情報を取得する場合について詳しく説明した。ここでは、複数種類の検査情報を取得する場合の具体例を説明する。
【０１５２】
図１０〜図１２は、この変形例の検査情報処理システムにおいて使用される情報の具体例を表している。
【０１５３】
図１０に示す手術段階テーブルＴ３は、前述の手術段階テーブルＴ１と同様に、各種の手術における手術段階について、その手術段階ＩＤと手術段階ラベルとを関連付けるテーブル情報である。手術段階テーブルＴ３は、検査装置１０のハードディスクドライブ等の記憶装置にあらかじめ記憶されている。
【０１５４】
図１１に示す検査種類テーブルＴ４は、検査装置１０により取得される各種の検査情報の種類を識別するためのテーブル情報である。ここで、検査情報の種類としては、前述した画像や生体情報とともに、検査装置１０のオペレータ等により記載されたコメント等の情報も含まれる。検査種類テーブルＴ４は、検査装置１０のハードディスクドライブ等の記憶装置にあらかじめ記憶されている。
【０１５５】
なお、コメントとしては、たとえば腫瘍組織の有無や、組織の採取位置（たとえば、腫瘍側方境界部等）など、各種の情報が入力される。このように、検査情報には、画像情報や数値情報やテキスト情報などが含まれている。また、検査装置１０が音声入力手段を備えている場合には、執刀医やオペレータが音声でコメントを入力することも可能である。
【０１５６】
検査種類テーブルＴ４は、検査種類ＩＤと検査種類とを関連付けている。検査種類は、検査情報の種類を表す。この検査種類テーブルＴ４には、検査種類として、検査情報が無いことを意味する「ＮＯＮＥ」、画像情報を意味する「画像」、数値情報を意味する「数値」、及び、テキスト情報を意味する「テキスト」などが記録されている。
【０１５７】
検査種類ＩＤは、これらの各検査種類に対して付与される。検査種類「ＮＯＮＥ」に対しては、文字列「０００００」からなる検査種類ＩＤが関連付けられる。検査種類「画像」に対しては、文字列「００００１」〜「１００００」の範囲の数字からなる検査種類ＩＤが関連付けられる。検査種類「数値」に対しては、文字列「１０００１」〜「２００００」の範囲の数字からなる検査種類ＩＤが関連付けられる。検査種類「テキスト」に対しては、文字列「２０００１」からなる検査種類ＩＤが関連付けられる。
【０１５８】
ここで、異なる検査種類に対応する文字列の範囲は、互いに重複しないように設定される。それにより、検査情報の種類を一意的に特定することが可能になる。検査種類ＩＤは、この発明の「種類情報」の一例に相当する。
【０１５９】
図１２に示す検査管理テーブルＴ５は、検査装置１０のリンク生成部１５により生成される情報である。リンク情報生成部１５は、画像撮影部１２Ａにより撮影された画像に対し、文字列「００００１」〜「１００００」の範囲の数字からなる検査種類ＩＤを付与する。また、リンク情報生成部１５は、生体情報取得部１２Ｂ等により取得された数値からなる生体情報（たとえば心電図、脳波等）に対し、文字列「１０００１」〜「２００００」の範囲の数字からなる検査種類ＩＤを付与する。なお、オペレータが数値情報を入力した場合などに対しても、同様に検査種類ＩＤが付与される。また、リンク情報生成部１５は、オペレータが入力したテキスト情報などに対し、文字列「２０００１」からなる検査種類ＩＤを付与する。
【０１６０】
リンク情報生成部１５は、たとえば検査情報の取得元の違いに基づいて、検査情報の種類を特定し、対応する検査種類ＩＤを付与する。なお、オペレータが検査情報の種類を指定し、この指定結果に基づいて検査情報の種類を特定することもできる。また、検査情報を構成するデータの拡張子等のデータ識別情報に基づいて、検査情報の種類を特定することも可能である。また、検査情報を取得する際に、その検査情報の種類を表すフラグ等の識別用情報を付加し、この識別用情報に基づいて検査情報の種類を特定することも可能である。
【０１６１】
リンク情報生成部１５は、以上のようにして付与された検査種類ＩＤを、手術ＩＤ、手術段階ＩＤ、検査ＩＤ等に関連付けることにより、検査管理テーブルＴ５（リンク情報）を生成する。リンク情報生成部１５は、生成した検査管理テーブルＴ５を手術記録作成装置３０に送信する。
【０１６２】
手術記録作成装置３０は、検査装置１０からの検査管理テーブルＴ５を受信して情報記憶部３４に格納する。なお、情報記憶部３４には、手術段階テーブルＴ３と検査種類テーブルＴ４があらかじめ記憶されている。
【０１６３】
この変形例に係る検査情報処理システムの使用形態を説明する。リンク情報の生成処理については上述したので、手術記録の作成処理についてのみ以下に説明する。図１３に示すフローチャートは、この変形例に係る検査情報処理システムにおける手術記録の作成処理の具体例を表している。
【０１６４】
最初に、手術記録作成装置３０のオペレータは、操作部３３を操作して手術ＩＤを入力する（Ｓ６１）。
【０１６５】
手術記録作成装置３０は、情報記憶部３４に記憶されたリンク情報に基づいて、ステップ６１で入力された手術ＩＤに対応する手術段階や検査種類を表示する（Ｓ６２）。この処理は、たとえば次のようにして実行される。
【０１６６】
まず、制御部３１は、検査管理テーブルＴ５を参照し、オペレータが入力した手術ＩＤに関連付けられた手術段階ＩＤを特定する。更に、制御部３１は、情報記憶部３４に記憶された手術段階テーブルＴ３を参照し、この手術段階ＩＤに対応する手術段階を特定する。
【０１６７】
次に、制御部３１は、検査管理テーブルＴ５を参照し、特定された手術段階ＩＤに関連付けられた検査種類ＩＤを特定する。更に、制御部３１は、情報記憶部３４に記憶された検査種類テーブルＴ４を参照し、特定された検査種類ＩＤに対応する検査種類を特定する。
【０１６８】
そして、制御部３１は、特定された手術段階を表す情報と、検査種類を表す情報とを表示部３２に表示させる。
【０１６９】
オペレータは、操作部３３を操作し、ステップ６２で表示された手術段階及び検査種類のうちから、所望の手術段階及び検査種類を指定する（Ｓ６３）。なお、手術段階と検査種類とは階層的に関連づけられているので、下位の検査種類を指定することによって、上位の手術段階が自動的に指定される。また、手術段階のみを指定することもできる。
【０１７０】
検索部３５は、検査管理テーブルＴ５を参照し、ステップ６３での指定結果に該当する検査情報を検査情報保管装置２０から検索する（Ｓ６４）。この検索処理は、上記実施形態と同様にして実行される。なお、ステップ６３で手術段階のみが指定された場合、検索部３５は、指定された手術段階に対応する全ての検査情報を検索する。
【０１７１】
制御部３１は、検索された検査情報を表示部３２に表示させる（Ｓ６５）。オペレータは、表示された検査情報を参照するなどして、手術記録のテンプレートに情報を記入する。手術記録作成部３６は、記入された情報に基づいて手術記録を作成する（Ｓ６６）。制御部３１は、作成された手術記録を手術記録保管装置４０に送信する（Ｓ６７）。手術記録保管装置４０は、手術記録作成装置３０から送信された手術記録を受信して格納する（Ｓ６８）。
【０１７２】
以上の使用形態における表示画面について説明する。
【０１７３】
ステップ６２における表示画面では、手術段階を表す情報として、手術段階テーブルＴ３に記録された手術段階ラベルなどが表示される。また、検査種類を表す情報としては、検査種類テーブルＴ４に記録された検査種類などが表示される。
【０１７４】
このとき、検査種類を表す情報は、対応する手術段階毎に分類されて表示される。たとえば、検査管理テーブルＴ５における手術ＩＤ「１００００１」の手術については、「手術前」の検査種類として「画像」が表示され、「開頭後」の検査種類として「画像」及び「テキスト」が表示され、「手術後」の検査種類として「画像」が表示される。
【０１７５】
ステップ６５における表示画面は、検索された検査情報の種類に応じて、画像情報表示画面、数値情報表示画面及びテキスト情報表示画面のうちの少なくとも一つを含んでいる。ここで、数値情報表示画面としては、数値をリスト表示するリスト表示画面や、数値をグラフ表示するグラフ表示画面などがある。制御部３１は、たとえば数値情報の形態に応じた数値情報表示画面を選択する。そのために、たとえば検査種類ＩＤの範囲やフラグ等によって数値情報の形態を特定可能に構成することができる。
【０１７６】
ステップ６５における表示画面の具体例を図１４に示す。図１４に示す表示画面Ｅには、データ選択部Ｅ１、コメント表示部Ｅ２、画像表示部Ｅ３及びグラフ表示部Ｅ４が設けられている。
【０１７７】
データ表示部Ｅ１には、各手術段階毎に検査種類が表示されている。図１４では、「術前」に対応する検査種類「画像」と、「前頭部切除後」に対応する検査種類「画像、コメント」と、「前頭部側方切除中」に対応する検査種類「数値、コメント」とがリスト表示されている。データ表示部Ｅ１は、たとえばプルダウンメニューによって構成される。オペレータは、リスト表示された手術段階の選択肢から所望の選択肢を選択指定する。
【０１７８】
データ表示部Ｅ１に表示された手術段階の一つが指定されると、検索部３５は、指定された手術段階に対応する検査情報を検索する。たとえば図１４において「前頭部側方切除中」が指定された場合、検索部３５は、この手術段階に対応する数値とコメントを検索する。
【０１７９】
制御部３１は、検索された全ての検査情報を表示部３２に表示させる。たとえば「前頭部側方切除中」が指定された場合、制御部３１は、検索された数値情報をグラフ表示部Ｅ４に表示させるとともに、検索されたコメントをコメント表示部Ｅ２に表示させる（図１４参照）。なお、画像が検索された場合、制御部３１は、この画像を画像表示部Ｅ３に表示させる。
【０１８０】
以上のように、この変形例に係る検査情報処理システムによれば、手術において複数の種類の検査情報が取得された場合に、オペレータが指定した手術段階に対応する検査情報を自動的に検索して表示することができる。したがって、オペレータは、所望の手術段階の検査情報を容易に探索することが可能である。
【０１８１】
また、オペレータは、手術段階と検査情報とを指定することにより、所望の手術段階における所望の検査情報を容易に探索することが可能である。
【０１８２】
〔変形例３〕
この変形例に係る検査情報処理システムは、手術段階の時刻や検査が実施された時刻を表示し、オペレータが時刻や手術段階を指定したときに、この指定結果に対応する検査情報を表示させるものである。この変形例に係る検査情報処理システムの構成の一例を図１５に示す。
【０１８３】
図１５に示す検査情報処理システムは、図１の検査情報処理システム１とほぼ同様に構成されているが、検査装置１０の制御部１１に計時部１１１が設けられている点が異なっている。計時部１１１は、現在時刻を計時する機能を有する。計時部１１１は、たとえば、計時機能を有する一般的なマイクロプロセッサを含んで構成される。
【０１８４】
制御部１１は、計時部１１１から現在時刻の提供を受けて、手術段階の時刻を取得する。手術段階の時刻とは、手術段階を特定する時刻であり、たとえば手術段階を開始した時刻が用いられる。
【０１８５】
手術段階の時刻の取得タイミングは、たとえば検査装置１０のオペレータや執刀医が入力する。このタイミングの入力方法としては、たとえば操作部１４を操作して行ってもよいし、音声入力によって行ってもよい。
【０１８６】
また、時刻の取得タイミングを自動認識する構成を適用することも可能である。その一例として、所定時刻に所定の手術段階（たとえば開頭）を開始する手術においては、計時部１１１が計時する現在時刻が当該所定時刻になったタイミングで、制御部１１が当該手術段階の時刻を取得することができる。
【０１８７】
また、執刀医等の動作を監視し、所定の動作が実施されたタイミングで手術段階の時刻を取得するように構成できる。その具体例としては、執刀医の動作をテレビカメラで監視し、執刀医が所定の動作（たとえばメスによる開腹）を開始したことを画像解析により検知し、その検知タイミングで手術段階の時刻を取得することができる。また、手術段階と執刀医の位置とが関連する場合には、テレビカメラで撮影した画像の解析処理や位置センサなどにより執刀医が当該位置に移動したことを検出し、その検出タイミングで手術段階の時刻を取得することができる。
【０１８８】
なお、手術段階の時刻を取得する代わりに、検査情報が取得された時刻を取得するように構成することも可能である。その場合、たとえば、画像撮影部１２Ａは、画像を撮影したときに制御部１１に信号を送る。制御部１１は、この信号を受信したことに対応し、計時部１１１から現在時刻の提供を受けることにより検査情報が取得された時刻を取得する。生体情報取得部１２Ｂが生体情報を取得する場合についても同様である。
【０１８９】
リンク情報生成部１５は、制御部１１が取得した時刻を表す時刻情報と、手術段階ＩＤ等の段階情報と、画像撮影部１２Ａ等が取得した検査情報とを関連付けるリンク情報を生成する。生成されたリンク情報は、手術記録作成装置３０の情報記憶部３４に格納される。
【０１９０】
次に、手術記録を作成する処理について説明する。オペレータが手術ＩＤを入力すると、手術記録作成装置３０は、情報記憶部３４に記憶されたリンク情報に基づいて、この手術ＩＤに対応する手術段階及び時刻を表示部３２に表示する。このとき、制御部３１は、上記の実施形態と同様にして手術段階を特定して表示するとともに、この手術段階に関連付けられた時刻情報を特定し、この時刻情報が表す時刻を表示する。
【０１９１】
図１６は、手術段階と時刻の表示態様の一例を表している。図１６に示す表示画面Ｆには、手術内容や手術部位とともに、手術段階と、その手術段階の時刻とが表示されている。手術段階の時刻は、時刻表示部Ｆ１に表示される。手術段階は、手術段階表示部Ｆ２に表示される。表示画面Ｆにおいては、対応する手術段階と時刻とが時系列に沿って並べて表示される。
【０１９２】
オペレータは、操作部３３を操作し、表示された手術段階又は時刻情報を指定する。検索部３５は、リンク情報を参照し、指定結果に該当する検査情報を検査情報保管装置２０から検索する。制御部３１は、検索された検査情報を表示部３２に表示させる。手術記録作成部３６は、記入された情報に基づいて手術記録を作成する。制御部３１は、作成された手術記録を手術記録保管装置４０に送信する。手術記録保管装置４０は、手術記録作成装置３０から送信された手術記録を受信して格納する。以上で、手術記録の作成処理の説明を終了する。
【０１９３】
以上のように、この変形例に係る検査情報処理システムによれば、手術段階の時刻や手術段階が指定されたときに、その指定結果に対応する検査情報を自動的に検索して表示することができる。したがって、オペレータは、所望の手術段階の検査情報を容易に探索することが可能である。
【０１９４】
〔変形例４〕
上記の実施形態に係る検査情報処理システム１は、手術記録を作成するためのシステムであるが、この発明に係る検査情報処理システムは、他の用途に供されるものであってもよい。その用途は、手術において取得された検査情報を処理する任意の用途であってよい。
【０１９５】
手術記録の作成以外の用途の一例として、電子カルテの作成に用いられる検査情報処理システムの構成の一例を図１７に示す。図１７に示す検査情報処理システムは、検査装置１０、検査情報保管装置２０、サーバ５０、電子カルテ作成装置６０及び電子カルテ保管装置７０を含んで構成される。
【０１９６】
検査装置１０と検査情報保管装置２０は、それぞれ上記の実施形態と同様に構成されている。なお、検査装置１０のリンク情報生成部１５は、生成したリンク情報をサーバ５０に送信するようになっている。また、検査情報保管装置２０は、サーバ５０と通信可能に構成されている。
【０１９７】
サーバ５０は、電子カルテの作成作業のための各種の情報処理を行う。サーバ５０は、電子カルテ作成装置６０と通信可能に接続されている。サーバ５０は、リンク情報記憶部５１と検索部５２を含んで構成される。
【０１９８】
リンク情報記憶部５１は、検査装置１０から入力されたリンク情報を記憶する。リンク情報記憶部５１は、上記の実施形態における情報記憶部３４と同様に構成されている。サーバ５０は、たとえば電子カルテ作成装置６０からの要求に応じて、リンク情報記憶部５１に記憶されたリンク情報を電子カルテ作成装置６０に送信する。
【０１９９】
検索部５２は、検査情報保管装置２０に格納されている検査情報を検索する。この検索処理は、たとえば電子カルテ作成装置６０からの要求に応じて実行される。サーバ５０は、検索された検査情報を電子カルテ作成装置６０に送信する。
【０２００】
電子カルテ作成装置６０は、制御部６１、表示部６２、操作部６３及び電子カルテ作成部６４を含んで構成される。制御部６１、表示部６２及び操作部６３は、それぞれ、上記の実施形態における表示部３１、表示部３２及び操作部３３と同様である。
【０２０１】
電子カルテ作成部６４は、電子カルテのテンプレートをあらかじめ記憶している。このテンプレートは、電子カルテを作成するための一定の形式の用紙の画像データである。
【０２０２】
オペレータは、このテンプレートを表示部６２に表示させ、操作部６３を操作して情報を入力する。電子カルテ作成部６４は、入力された情報を、テンプレートに応じた形式で記録することにより電子カルテのデータを作成する。
【０２０３】
また、電子カルテ作成部６４は、電子カルテを作成するための各種の画面のデータを格納している。制御部６１は、このデータに基づいて、各種の画面を表示部６２に表示させる。それにより、たとえば、検査情報を検索するための操作画面や、検査のオーダを発行するための操作画面や、作成済みの電子カルテを保存するための操作画面などが表示される。
【０２０４】
電子カルテ作成部６４は、マイクロプロセッサや、テンプレート等を記録するハードディスクドライブなどを含んで構成される。
【０２０５】
電子カルテ保管装置７０は、電子カルテ作成部６４により作成された電子カルテ（のデータ）を保管する装置である。制御部６１は、作成された電子カルテを電子カルテ保管装置７０に送信する。電子カルテ保管装置７０は、電子カルテ作成装置６０から送信された手術記録を格納する。
【０２０６】
電子カルテ保管装置７０は、ハードディスクドライブ等の記憶装置、通信機器等を含んで構成される。なお、この変形例では、電子カルテ作成装置６０と電子カルテ保管装置７０とを個別に設けているが、これらを一体的に構成してもよい。
【０２０７】
以上のように構成されたこの変形例に係る検査情報処理システムの使用形態を説明する。
【０２０８】
リンク情報を生成する処理について説明する。まず、図４に示すフローチャートのステップ１（検査の依頼）〜ステップ６（リンク情報の生成）と同様の処理を行う。次に、検査装置１０は、生成されたリンク情報をサーバ５０に送信する。サーバ５０は、検査装置１０からのリンク情報を受信し、リンク情報記憶部５１に記憶させる。以上で、リンク情報の生成処理の説明を終了する。
【０２０９】
次に、電子カルテを作成する処理について説明する。この処理は、図５に示すフローチャートと同様にして実行される。電子カルテの作成作業において手術記録を参照するために、まず、電子カルテ作成装置６０のオペレータは、手術ＩＤを入力する。制御部６１は、入力された手術ＩＤを含む信号をサーバ５０に送信する。
【０２１０】
サーバ５０は、電子カルテ作成装置６０からの信号を受信すると、この信号に含まれる手術ＩＤが記録されたリンク情報をリンク情報記憶部５１から探索し、電子カルテ作成装置６０に送信する。
【０２１１】
電子カルテ作成装置６０は、サーバ５０からのリンク情報に基づいて、当該手術の手術段階を表示部６２に表示させる。オペレータが手術段階を指定すると、電子カルテ作成装置６０は、その指定結果（たとえば手術段階ＩＤ）を含む信号をサーバ５０に送信する。この信号には、手術ＩＤが含まれていてもよい。
【０２１２】
サーバ５０が電子カルテ作成装置６０からの信号を受信すると、検索部５２は、この信号に含まれる手術段階ＩＤ（及び手術ＩＤ）に該当する検査情報を、検査情報保管装置２０から検索する。サーバ５０は、検索された検査情報を電子カルテ作成装置６０に送信する。
【０２１３】
電子カルテ作成装置６０は、サーバ５０からの検査情報を受信し、表示部６２に表示させる。オペレータは、表示された検査情報を参照するなどして、所見等の情報を入力する。電子カルテ作成部６４は、入力された情報に基づいて電子カルテのデータを作成する。
【０２１４】
電子カルテの作成が終了したら、制御部６１は、この電子カルテのデータを電子カルテ保管装置７０に送信する。電子カルテ保管装置７０は、電子カルテ作成装置６０から送信された電子カルテのデータを格納する。以上で、電子カルテの作成処理の説明を終了する。
【０２１５】
以上のように、この変形例に係る検査情報処理システムによれば、電子カルテの作成作業において手術段階が指定されたときに、その指定結果に対応する検査情報を自動的に検索して表示することができる。したがって、オペレータは、電子カルテの作成作業において、所望の手術段階の検査情報を容易に探索することが可能である。
【０２１６】
〔その他の変形例〕
上記の構成ではリンク情報の生成処理を検査装置１０が行っているが、この発明に係る構成はこれに限定されるものではない。たとえば、検査情報保管装置２０や手術記録作成装置３０や電子カルテ作成装置６０がリンク情報を生成するように構成することが可能である。なお、検査情報保管装置２０がリンク情報を生成する場合、手術記録作成装置３０や電子カルテ作成装置６０は、検査情報保管装置２０から直接に、又は他の装置を介して間接的にリンク情報を取得する。
【０２１７】
検査装置１０は、一般に、手術室内又はその近傍に設置される。手術記録作成装置３０や手術記録保管装置４０や電子カルテ作成装置６０や電子カルテ保管装置７０は、検査装置１０の近傍（たとえばＬＡＮにより通信可能な範囲）に設置されてもよいし、遠隔地に設置されてもよい。遠隔地に設置する場合、これらの装置、特に手術記録作成装置３０や電子カルテ作成装置６０は、インターネットや専用線等のＷＡＮ（Ｗｉｄｅ  Ａｒｅａ  Ｎｅｔｗｏｒｋ）を介して検査装置１０に接続される。その際、データの暗号化などの保護対策を施すことが望ましい。
【０２１８】
［検査情報処理装置］
この発明に係る検査情報処理装置について説明する。検査情報処理装置は、手術患者に対する検査により取得された検査結果を含む検査情報を処理する検査情報処理装置であり、生成手段、操作手段及び検索手段を含んで構成される。
【０２１９】
生成手段は、前述のリスト情報生成部１５と同様に、検査情報が取得された手術段階を表す段階情報を生成し、検査情報と段階情報とを関連付ける関連情報（リンク情報）を生成するように機能する。制御手段は、操作手段により手術段階が指定されたときに、関連情報に基づいて、指定された手術段階に対応する検査情報を検索するように機能する。
【０２２０】
なお、手術で取得された検査情報は、たとえばＰＡＣＳのように検査情報処理装置の外部の記憶装置に記憶してもよいし、検査情報処理装置の内部の記憶装置（ハードディスクドライブ等）に記憶してもよい。検索手段は、指定された手術段階に対応する検査情報を当該記憶装置から検索するようになっている。
【０２２１】
この発明に係る検査情報処理装置の構成の一例を図１８に示す。図１８に示す検査情報処理装置１００は、検査装置２００及び検査情報保管装置３００とそれぞれ通信可能に接続されている。なお、この具体例では、検査情報処理装置の外部の記憶装置に検査情報を記憶している。
【０２２２】
検査装置２００は、前述の検査装置１０と同様に構成されている。なお、検査装置２００は、リンク情報を生成する機能（前述のリンク情報生成部１５）を有していない。検査情報保管装置３００は、前述の検査情報保管装置２０と同様である。
【０２２３】
検査情報処理装置１００は、手術において取得された検査結果に基づいて所定の処理を実行するコンピュータを含んで構成される。検査情報処理装置１００は、たとえば前述の手術記録作成装置３０や電子カルテ作成装置６０として用いられる。
【０２２４】
検査情報処理装置１００は、制御部１０１、表示部１０２、操作部１０３、リンク情報生成部１０４、検索部１０５及び情報処理部１０６を備えている。制御部１０１、表示部１０２、操作部１０３及び検索部１０５は、それぞれ、前述の制御部３１、表示部３２、操作部３３及び検索部３５と同様である。
【０２２５】
リンク情報生成部１０４は、前述のリンク情報生成部１５と同様にしてリンク情報を生成する。情報処理部１０６は、上記の所定の処理を実行する。情報処理部１０６は、たとえば前述の手術記録作成部３６や電子カルテ作成部６４として機能する。
【０２２６】
操作部１０３は、この発明に係る検査情報処理装置の「操作手段」の一例として機能する。また、検索部１０５は「検索手段」の一例として機能する。また、リンク情報生成部１０４は「生成手段」の一例として機能する。
【０２２７】
検査情報処理装置１００の動作を説明する。検査情報処理装置１００が動作する前に、検査装置２００は、手術において検査情報を取得し、検査情報保管装置３００に送信する。また、検査装置２００は、手術の識別情報（たとえば手術ＩＤ）と手術段階の識別情報（たとえば手術段階ＩＤ）を検査情報処理装置１００に送信する。また、検査装置２００は、検査ＩＤや画像ＩＤなど、検査に関する情報を検査情報処理装置１００に送信する。
【０２２８】
なお、手術の遠隔観察システムなどにより、検査情報処理装置１００を用いて手術の状況を観察できる場合には、検査情報処理装置１００のオペレータが、手術段階などを入力してもよい。
【０２２９】
検査情報処理装置１００のリンク情報生成部１０４は、検査装置２００などから入力された情報に基づいて、前述の画像管理テーブルＴ２等のリンク情報（関連情報）を生成する。
【０２３０】
オペレータが手術ＩＤを入力すると、制御部１０１は、リンク情報に基づいて、この手術ＩＤに関連付けられた手術段階ＩＤを特定し、対応する手術段階を表示部１０２に表示させる。
【０２３１】
オペレータが操作部１０３を操作して手術段階を指定すると、検索部１０５は、リンク情報に基づいて、この手術段階に対応する検査ＩＤや画像ＩＤを特定する。更に、検索部１０５は、特定された検査ＩＤ等に該当する検査情報を、検査情報保管装置３００から検索する。制御部１０１は、検索された検査情報を表示部１０２に表示させる。以上で、検査情報処理装置１００の動作の説明を終了する。
【０２３２】
このような検査情報処理装置によれば、手術段階が指定されたときに、その指定結果に対応する検査情報を自動的に検索することができるので、オペレータは、所望の手術段階の検査情報を容易に探索することが可能である。
【０２３３】
以上に詳述した構成は、この発明を好適に実施するための一具体例に過ぎない。よって、この発明の要旨の範囲内における任意の変形を適宜に施すことが可能である。
【図面の簡単な説明】
【０２３４】
【図１】この発明に係る検査情報処理システムの実施形態の構成の一例を表す概略ブロック図である。
【図２】この発明に係る検査情報処理システムの実施形態における手術段階テーブルの一例を表す概略図である。
【図３】この発明に係る検査情報処理システムの実施形態におけるリンク情報の一例である画像管理テーブルを表す概略図である。
【図４】この発明に係る検査情報処理システムの実施形態の使用形態の一例を表すフローチャートである。
【図５】この発明に係る検査情報処理システムの実施形態の使用形態の一例を表すフローチャートである。
【図６】この発明に係る検査情報処理システムの実施形態の変形例の構成の一例を表す概略ブロック図である。
【図７】この発明に係る検査情報処理システムの実施形態の変形例におけるリンク情報の一例である画像管理テーブルを表す概略図である。
【図８】この発明に係る検査情報処理システムの実施形態の変形例の使用形態の一例を表すフローチャートである。
【図９】この発明に係る検査情報処理システムの実施形態の変形例における小画像の表示態様の一例を表す概略図である。
【図１０】この発明に係る検査情報処理システムの実施形態の変形例における手術段階テーブルの一例を表す概略図である。
【図１１】この発明に係る検査情報処理システムの実施形態の変形例における検査種類テーブルの一例を表す概略図である。
【図１２】この発明に係る検査情報処理システムの実施形態におけるリンク情報の一例である検査管理テーブルを表す概略図である。
【図１３】この発明に係る検査情報処理システムの実施形態の変形例の使用形態の一例を表すフローチャートである。
【図１４】この発明に係る検査情報処理システムの実施形態の変形例による表示画面の一例を表す概略図である。
【図１５】この発明に係る検査情報処理システムの実施形態の変形例の構成の一例を表す概略ブロック図である。
【図１６】この発明に係る検査情報処理システムの実施形態の変形例による表示画面の一例を表す概略図である。
【図１７】この発明に係る検査情報処理システムの実施形態の変形例の構成の一例を表す概略ブロック図である。
【図１８】この発明に係る検査情報処理装置の実施形態の構成の一例を表す概略ブロック図である。
【符号の説明】
【０２３５】
１  検査情報処理システム
１０  検査装置
１１  制御部
１２Ａ  画像撮影部
１２Ｂ  生体情報取得部
１３  表示部
１４  操作部
１５  リンク情報生成部
１６  小画像生成部
２０  検査情報保管装置
３０  手術記録作成装置
３１  制御部
３２  表示部
３３  操作部
３４  情報記憶部
３５  検索部
３６  手術記録作成部
４０  手術記録保管装置
１００  検査情報処理装置
Ｔ１、Ｔ３  手術段階テーブル
Ｔ２、Ｔ２′  画像管理テーブル
Ｔ４  検査種類テーブル
Ｔ５  検査管理テーブル
Ａ  表示画面
Ｂ１、Ｂ２、Ｂ３  手術段階を表す表示情報
Ｃ１、Ｃ２、Ｃ３  小画像の表示領域
Ｇ１、Ｇ２、Ｇ３、Ｇ４、Ｇ５  小画像
Ｅ、Ｆ  表示画面
Ｅ１  データ選択部
Ｅ２  コメント表示部
Ｅ３  画像表示部
Ｅ４  グラフ表示部
Ｆ１  時刻表示部
Ｆ２  手術段階表示部
【図１】
2008259661.tif 000003
【図２】
2008259661.tif 000004
【図３】
2008259661.tif 000005
【図４】
2008259661.tif 000006
【図５】
2008259661.tif 000007
【図６】
2008259661.tif 000008
【図７】
2008259661.tif 000009
【図８】
2008259661.tif 000010
【図１０】
2008259661.tif 000011
【図１１】
2008259661.tif 000012
【図１２】
2008259661.tif 000013
【図１３】
2008259661.tif 000014
【図１５】
2008259661.tif 000015
【図１６】
2008259661.tif 000016
【図１７】
2008259661.tif 000017
【図１８】
2008259661.tif 000018
【図９】
2008259661.tif 000019
【図１４】
2008259661.tif 000020